(57)【要約】      （修正有）【課題】結び目を作ることなく首周りにセット可能なワンタッチネクタイにおいて、一部の破損や汚れによっても利用不能とはならず、首周りに接する紐体や取り付け金具が、利用していない時は露出することなく、サイズ調整の問題もないワンタッチネクタイを提供する。【解決手段】リールケース２２内部に紐体２１を巻廻しした状態で収容し、常にケース内へ戻る方向に付勢されると共に、ケースから引き出し可能な状態で紐体を配設したリールケースをネクタイ首の位置正面となる楕円筒形結び目部に収納し、首の位置正面となる楕円筒形結び目部と縦方向下がり部をそれぞれ別に製作する。首周りに接する紐体は、利用していない時は首の位置正面となる楕円筒形結び目部に収納され、ネクタイの利用時には首にセットするにあたりサイズの調整が不要となる。且つ、紐体ジョイント２４を設けることで、必要以上の負荷が生じた時点で安全に外れる効果も発揮する。【選択図】図３
2019123976.tif 000002
【特許請求の範囲】
【請求項１】
リールケース内部に紐体を巻廻しした状態で収容し、常に前記ケース内へ戻る方向に付勢されると共に、前記ケースから引き出し可能な状態で紐体を配設したリールケースを、ネクタイ首の位置正面となる結び目部に収納した事を特徴とするネクタイの構造。
【請求項２】
ネクタイの構造に於いて、首の位置正面となる楕円筒形結び目部と縦方向下がり部をそれぞれ別に製作する事を特徴とするネクタイの構造。
【請求項３】
請求項１又は請求項２に記載のネクタイの構造に於いて、縦方向下がり部を楕円筒形結び目部に楕円下部より通した後、リールケースから引き出し可能な状態で紐体を配設したリールケースを首の位置正面となる楕円筒形結び目部内で包む事を特徴とするネクタイの構造。
【請求項４】
請求項１又は請求項２に記載のネクタイの構造に於いて、楕円筒形結び目部にリールケースから引き出し可能な状態で紐体を配設したリールケースを包み、縦方向下がり部を縫い合わせた事を特徴とするネクタイの構造。
【請求項５】
請求項１又は請求項２に記載のネクタイの構造に於いて、リールケースから引き出し可能な状態の紐体を切断し紐体ジョイントを設け、必要以上の負荷を生じた時点で外れる事を特徴とするネクタイの構造。
【発明の詳細な説明】
【技術分野】
【０００１】  本発明はネクタイ及びアクセサリーの首へのセット時、ケース内部に紐体を巻廻しした状態で収容し、常に前記ケース内へ戻る方向に付勢されると共に、前記ケースから引き出し可能な状態で紐体を配設したリールケースを、ネクタイ首の位置正面となる結び目部に収納し、首の位置正面となる結び目部と縦方向下がり部をそれぞれ別に製作したネクタイ及びアクセサリーに関する。
【背景技術】
【０００２】  一般に、従来例のネクタイ、及び結び目を作ることなく首周りにセット可能なワンタッチネクタイは、結び目部と縦方向下がり部を一体に製作し、ゴム輪を広げ首を通した後ゴムの収縮により首周りにセットしていた。又、太い紐の輪を広げ首を通した後紐の輪を調整しながら首周りにセットすることでネクタイとして使用していた。
【非特許文献１】
【０００３】
【発明の概要】
【発明が解決しようとする課題】
【０００４】    従来例のネクタイ、及び結び目を作ることなく首周りにセット可能なワンタッチネクタイは、結び目部と縦方向下がり部を一体に製作する為、一部の破損や取れない汚れにより利用不能となることや一種類のネクタイのみの価値であった。また、首周りに接する紐体や取り付け金具は利用時では露出しないが、利用していない時には露出している為、ぼりゅうむがあり携帯しにくく又見た目も良くない。その他、伸縮ゴム輪により首にセットするにあたりサイズの調整が難しい大きな問題があった。
【課題を解決するための手段】
【０００５】    本発明は、このような不具合を解決する為になされたものであり、
ケース内部に紐体を巻廻しした状態で収容し、常に前記ケース内へ戻る方向に付勢されると共に、前記ケースから引き出し可能な状態で紐体を配設したリールケースを、ネクタイ首の位置正面となる結び目部に収納し、首の位置正面となる結び目部と縦方向下がり部をそれぞれ別に製作した。【０００６】    上記不具合を解決するために、本発明は次のような構成としている。
請求項１に記載したリールケースを収納したネクタイの構造は、リールケース２２内部に紐体２１を巻き廻しした状態で収容し、常に前記ケース内へ戻る方向に付勢されるとともに、前記ケースから引き出し可能な状態で紐体２１を配設したリールケース２２をネクタイ首の位置正面となる結び目部に収納した。【０００７】請求項２に記載のネクタイの構造に於いて、首の位置正面となる楕円筒形結び目部４０と縦方向下がり部３０をそれぞれ別に製作する事を特徴とするネクタイの構造とした。【０００８】請求項３に記載の請求項１又は請求項２に記載のネクタイの構造に於いて、縦方向下がり部３０を楕円筒形結び目部４０に楕円下部４１より通した後、リールケース２２から引き出し可能な状態で紐体２１を配設したリールケース２２を首の位置正面となる楕円筒形結び目部４０内で包む事を特徴とするネクタイの構造とした。【０００９】請求項４に記載の請求項１又は請求項２に記載のネクタイの構造に於いて、楕円筒形結び目部４０にリールケース２２から引き出し可能な状態で紐体２１を配設したリールケース２２を包み、縦方向下がり部３０を縫い合わせた事を特徴とするネクタイの構造とした。【００１０】請求項５に記載の請求項１又は請求項２に記載のネクタイの構造に於いて、リールケース２２から引き出し可能な状態の紐体２１を切断し紐体ジョイント２４を設け、必要以上の負荷を生じた時点で外れる事を特徴とするネクタイの構造とした。
【発明の効果】
【００１１】以上説明したように本発明の構造により、ネクタイのセットや携帯も楽になり、首周りの安全性は増すが圧迫感は減り、楕円筒形結び目部と縦方向下がり部との組み合わせによる配色も無数に増加しファッション性も増す効果を発揮する事ができた。
【図面の簡単な説明】
【００１２】
【図１】は従来例ネクタイ正面図
【図２】は従来例ネクタイを結んだ状態の正面図
【図３】はリールケースの斜視図
【図４】は本発明縦方向下がり部の正面図
【図５】は本発明楕円筒形結び目部の正面図
【図６】は本発明接続正面図
【図７】は本発明接続斜視図
【発明を実施するための形態】
【００１３】リールケース２２内部に紐体２１を巻廻しした状態で収容し、常に前記ケース２２内へ戻る方向に付勢されると共に、前記ケース２２から引き出し可能な状態で紐体２１を配設したリールケース２２を、ネクタイ首の位置正面となる楕円筒形結び目部４０に収納し、首の位置正面となる楕円筒形結び目部４０と縦方向下がり部３０をそれぞれ別に製作する事で、楕円筒形結び目部４０と縦方向下がり部３０との無数の組み合わせによる個性あふれるネクタイが可能となりファッション性も高まった。又、首周りに接する紐体２１は利用していない時は首の位置正面となる楕円筒形結び目部４０に収納されている為、ぼりゅうむが減り携帯し安く見た目もスマートとなり、ネクタイの利用時には首にセットするにあたりサイズの調整が不要であり、且つ首周りのストレスを限りなくゼロに近づける事ができ、紐体ジョイントを設けることで、必要以上の負荷を生じた時点で安全に外れる効果も発揮する事ができたことが特徴である。
【符号の説明】
【００１４】１０      従来例ネクタイ
１１      従来例ネクタイを結んだ状態
２０      リール
２１      紐体
２２      リールケース
２３      紐体による輪
２４      紐体ジョイント
３０      縦方向下がり部
３１      リール設置部
３２      折り曲げ部
４０      楕円筒形結び目部
４１      楕円下部
４２      楕円上部
５０      接続正面図
６０      接続展開図
【図１】
2019123976.tif 000003
【図２】
2019123976.tif 000004
【図３】
2019123976.tif 000005
【図７】
2019123976.tif 000006
【図４】
2019123976.tif 000007
【図５】
2019123976.tif 000008
【図６】
2019123976.tif 000009